(57)【特許請求の範囲】
【請求項１】
ロング・ターム・エボリューション、すなわちＬＴＥ、ネットワーク（１０２）を介してメッセージを配信するように動作可能なユニバーサル・メッセージ・センター（１０４）であって、
宛先モバイル装置（１３１）に向けられたテキスト・メッセージを受信するように、前記宛先モバイル装置（１３１）がＬＴＥ対応であるかどうか判定するように、また、前記宛先モバイル装置（１３１）がＬＴＥ対応であるという判定に応答して、前記ＬＴＥネットワーク（１０２）において前記宛先モバイル装置（１３１）に割り当てられたモバイルＩＰアドレスを識別するように動作可能な制御システム（１２２）と、
前記モバイルＩＰアドレスに基づいて、前記ＬＴＥネットワーク（１０２）を介して前記宛先モバイル装置（１３１）に前記テキスト・メッセージをフォワードしようと試みるように動作可能な配信システム（１２４）とを特徴とするユニバーサル・メッセージ・センター（１０４）。
【請求項２】
前記制御システム（１２２）が、前記宛先モバイル装置（１３１）がＬＴＥ対応でないという判定に応答して、前記テキスト・メッセージの発信元に対するストアアンドフォワード、すなわちＳＦＤ、メッセージ・センター（１０８）を識別するように、また、前記テキスト・メッセージを、ＳＦＤ処理のために前記ＳＦＤメッセージ・センター（１０８）にフォワードするようにさらに動作可能である、請求項１に記載のユニバーサル・メッセージ・センター（１０４）。
【請求項３】
前記制御システム（１２２）が、前記宛先モバイル装置（１３１）の加入者プロファイルを格納する加入者データベース（１０６）に問い合わせて、前記宛先モバイル装置（１３１）に割り当てられた前記モバイルＩＰアドレスを識別するようにさらに動作可能であり、
前記制御システム（１２２）と前記加入者データベース（１０６）との間のインタフェースがＤｉａｍｅｔｅｒ  Ｓｈインタフェースであり、前記モバイルＩＰアドレスに対して属性／値ペア、すなわちＡＶＰが、前記Ｄｉａｍｅｔｅｒ  Ｓｈインタフェースにおいて定義される、請求項１に記載のユニバーサル・メッセージ・センター（１０４）。
【請求項４】
前記制御システム（１２２）が、前記宛先モバイル装置（１３１）の加入者プロファイルを格納する加入者データベース（１０６）に問い合わせてパケット・データ・ネットワーク・ゲートウェイ、すなわちＰＤＮ−ＧＷ（１１２）のＰＤＮ−ＧＷアドレスを識別するように、また、前記ＰＤＮ−ＧＷアドレスに基づいて、前記ＰＤＮ−ＧＷ（１１２）に問い合わせて、前記宛先モバイル装置（１３１）に割り当てられた前記モバイルＩＰアドレスを識別するようにさらに動作可能である、請求項１に記載のユニバーサル・メッセージ・センター（１０４）。
【請求項５】
前記配信システム（１２４）が、先行配信試行、すなわちＦＤＡ、処理を使って、前記ＬＴＥネットワーク（１０２）を介して前記宛先モバイル装置（１３１）に前記テキスト・メッセージをフォワードするようにさらに動作可能であり、
ＦＤＡ処理を使った先行配信試行が失敗した場合、前記制御システム（１２２）が、前記テキスト・メッセージの発信元に対するストアアンドフォワード、すなわちＳＦＤ、メッセージ・センター（１０８）を識別するように、また、前記テキスト・メッセージを、ＳＦＤ処理のために前記ＳＦＤメッセージ・センター（１０８）にフォワードするようにさらに動作可能である、請求項１に記載のユニバーサル・メッセージ・センター（１０４）。
【請求項６】
ロング・ターム・エボリューション、すなわちＬＴＥ、ネットワーク（１０２）を介してメッセージを配信する方法であって、
宛先モバイル装置（１３１）に向けられたテキスト・メッセージを受信するステップと、
前記宛先モバイル装置（１３１）がＬＴＥ対応であるかどうか判定するステップと、
前記宛先モバイル装置（１３１）がＬＴＥ対応であるという判定に応答して、前記ＬＴＥネットワーク（１０２）において前記宛先モバイル装置（１３１）に割り当てられたモバイルＩＰアドレスを識別するステップと、
前記モバイルＩＰアドレスに基づいて、前記ＬＴＥネットワーク（１０２）を介して前記宛先モバイル装置（１３１）に前記テキスト・メッセージをフォワードしようと試みるステップとを特徴とする方法。
【請求項７】
前記宛先モバイル装置（１３１）がＬＴＥ対応でないという判定に応答して、前記テキスト・メッセージの発信元に対するストアアンドフォワード、すなわちＳＦＤ、メッセージ・センター（１０８）を識別するステップと、
前記テキスト・メッセージを、ＳＦＤ処理のために前記ＳＦＤメッセージ・センター（１０８）にフォワードするステップとをさらに含む、請求項６に記載の方法。
【請求項８】
前記ＬＴＥネットワーク（１０２）において前記宛先モバイル装置（１３１）に割り当てられたモバイルＩＰアドレスを識別するステップが、
前記宛先モバイル装置（１３１）の加入者プロファイルを格納する加入者データベース（１０６）に前記モバイルＩＰアドレスを問い合わせるステップを含み、
前記加入者データベース（１０６）とのインタフェースが、Ｄｉａｍｅｔｅｒ  Ｓｈインタフェースであり、前記モバイルＩＰアドレスに対して属性／値ペア、すなわちＡＶＰが、前記Ｄｉａｍｅｔｅｒ  Ｓｈインタフェースにおいて定義される、請求項６に記載の方法。
【請求項９】
前記ＬＴＥネットワーク（１０２）において前記宛先モバイル装置（１３１）に割り当てられたモバイルＩＰアドレスを識別するステップが、
前記宛先モバイル装置（１３１）の加入者プロファイルを格納する加入者データベース（１０６）に問い合わせて、パケット・データ・ネットワーク・ゲートウェイ、すなわちＰＤＮ−ＧＷ（１１２）のＰＤＮ−ＧＷアドレスを識別するステップと、
前記ＰＤＮ−ＧＷアドレスに基づいて、前記ＰＤＮ−ＧＷ（１１２）に前記モバイルＩＰアドレスを問い合わせるステップとを含む、請求項６に記載の方法。
【請求項１０】
前記ＬＴＥネットワーク（１０２）を介して前記宛先モバイル装置（１３１）に前記テキスト・メッセージをフォワードしようと試みるステップが、
先行配信試行、すなわちＦＤＡ、処理を使って、前記ＬＴＥネットワーク（１０２）を介して前記宛先モバイル装置（１３１）に前記テキスト・メッセージをフォワードするステップを含み、
ＦＤＡ処理を使った先行配信試行が失敗した場合、前記方法が、前記テキスト・メッセージの発信元に対するストアアンドフォワード、すなわちＳＦＤ、メッセージ・センター（１０８）を識別するステップと、前記テキスト・メッセージを、ＳＦＤ処理のために前記ＳＦＤメッセージ・センター（１０８）にフォワードするステップとをさらに含む、請求項６に記載の方法。
【発明の詳細な説明】
【技術分野】
【０００１】
本発明は、通信ネットワークの分野に関し、詳細には、ＬＴＥネットワークを介したメッセージ配信に関する。
【背景技術】
【０００２】
サービス・プロバイダは、モバイル装置を使う加入者に多数の音声および／またはデータ・サービスを提供するが、こうしたサービスの１つが、テキストおよびマルチメディア・メッセージ通信である。多くのモバイル・ネットワークにおいて、テキスト／マルチメディア・メッセージ通信は、非常に普及した通信モードとなっている。テキスト・メッセージ・サービスの一例は、ショート・メッセージ・サービス（ＳＭＳ）であるが、これは、モバイル装置の間での短いテキスト・メッセージ（すなわち、１６０文字）の交換を可能にする通信プロトコルである。マルチメディア・メッセージ・サービスの一例は、Ｍｕｌｔｉｍｅｄｉａ  Ｍｅｓｓａｇｅ  Ｓｅｒｖｉｃｅ（ＭＭＳ）であるが、これは、モバイル装置の間でのマルチメディア・メッセージ（すなわち、デジタル・ピクチャ、メディア・クリップなど）の交換を可能にする通信プロトコルである。多くの場合、モバイル・ユーザは、音声通話よりも、通信用のテキストまたはマルチメディア・メッセージングを頻繁に利用する。
【０００３】
モバイル・ユーザに音声およびデータ通信を提供するように動作可能な様々なタイプのネットワークがある。第３世代パートナーシップ・プロジェクト（３ＧＰＰ、３ＧＰＰ２）は、こうしたネットワークを介して通信するための標準を定義する仕様を提示している。３ＧＰＰにおける現在の１つのプロジェクトは、ＵＭＴＳ携帯電話標準を、将来の要件に対処するように改良するためのプロジェクトであるロング・ターム・エボリューション（ＬＴＥ）である。このプロジェクトによって定義されたアーキテクチャは、発展型パケット・システム（ＥＰＳ）と呼ばれる。ＥＰＳアーキテクチャは、アクセス側におけるＥ−ＵＴＲＡＮ（次世代ＵＴＲＡＮ）およびコア側におけるＥＰＣ（発展型パケット・コア）を包含する。
【０００４】
現時点で、３ＧＰＰ仕様は、メッセージ配信のために、レガシー・ショート・メッセージ通信サービス・センター（ＳＭＳＣ）およびマルチメディア・メッセージ通信サービス・センター（ＭＭＳＣ）に依拠する。レガシーＳＭＳＣおよびＭＭＳＣは、ＬＴＥネットワークを介してモバイル装置にメッセージを配信することが可能ではない。したがって、モバイル装置がＬＴＥネットワークに登録されている場合であっても、モバイル装置は、ＬＴＥネットワークを介してＳＭＳメッセージもＭＭＳメッセージも受信することが可能ではない。
【発明の概要】
【課題を解決するための手段】
【０００５】
本明細書に記載する実施形態は、テキスト、マルチメディア、または他のタイプのメッセージを直接、ＬＴＥネットワークを介して配信することが可能である。ＬＴＥ対応であるモバイル装置に向けられたメッセージが受信されると、モバイル装置のモバイルＩＰアドレスが識別される。メッセージの配信が次いで、メッセージをレガシーＳＭＳＣ／ＭＭＳＣに先にフォワードせずに、ＬＴＥネットワークを介して、モバイルＩＰアドレスに基づいてモバイル装置に対して試みられる。したがって、メッセージ・トラフィックの一部は有利には、レガシーＳＭＳＣ／ＭＭＳＣからＬＴＥネットワークにオフロードされ得る。
【０００６】
一実施形態は、ＬＴＥネットワークを介してメッセージを配信するように動作可能なユニバーサル・メッセージ・センター（universal message center）を備える。ユニバーサル・メッセージ・センターは、宛先モバイル装置に向けられたメッセージを受信するように、また、宛先モバイル装置がＬＴＥ対応であるかどうか判定するように動作可能な制御システムを備える。宛先モバイル装置がＬＴＥ対応である場合、制御システムは、ＬＴＥネットワークにおいて宛先モバイル装置に割り当てられたモバイルＩＰアドレスを識別するようにさらに動作可能である。ユニバーサル・メッセージ・センターは、モバイルＩＰアドレスに基づいて、ＬＴＥネットワークを介して宛先モバイル装置にメッセージをフォワードしようと試みるように動作可能な、先行配信試行（ＦＤＡ）システムなどの配信システムをさらに備える。宛先モバイル装置がＬＴＥ対応でない場合、制御システムは、メッセージの発信元に対するストアアンドフォワード（ＳＦＤ）メッセージ・センターを識別し、メッセージを、ストアアンドフォワード処理のためにＳＦＤメッセージ・センターにフォワードするようにさらに動作可能である。
【０００７】
他の例示的な実施形態についても、後で説明する。
【０００８】
本発明のいくつかの実施形態を、例示の目的でのみ、添付の図面を参照して次に記載する。同じ参照番号は、すべての図面において同じ要素または同じタイプの要素を表す。
【図面の簡単な説明】
【０００９】
【図１】例示的な実施形態における通信ネットワークを示す図である。
【図２】例示的な実施形態における、ＬＴＥネットワークを介してメッセージを配信する方法を示すフローチャートである。
【図３】例示的な実施形態における、ＬＴＥネットワークにおいてモバイル装置に割り当てられたモバイルＩＰアドレスを識別する方法を示すフローチャートである。
【図４】例示的な実施形態における、ＬＴＥネットワークにおいてモバイル装置に割り当てられたモバイルＩＰアドレスを識別する別の方法を示すフローチャートである。
【図５】別の例示的実施形態における別の通信ネットワークを示す図である。
【図６】例示的な実施形態における、ＬＴＥネットワークへのモバイル装置の登録を示すメッセージ図である。
【図７】別の例示的な実施形態における、ＬＴＥネットワークへのモバイル装置の登録を示すメッセージ図である。
【図８】例示的な実施形態における、ＳＭＳメッセージの成功配信を示すメッセージ図である。
【図９】例示的な実施形態における、ＳＭＳメッセージの別の成功配信を示すメッセージ図である。
【図１０】例示的な実施形態における、ＳＭＳメッセージの失敗配信を示すメッセージ図である。
【図１１】例示的な実施形態における、ＬＴＥ対応でないモバイル装置へのＳＭＳメッセージの配信を示すメッセージ図である。
【図１２】例示的な実施形態における、ＳＭＳＣからのＳＭＳメッセージの成功配信を示すメッセージ図である。
【図１３】例示的な実施形態における、ＳＭＳＣからのＳＭＳメッセージの成功配信を示すメッセージ図である。
【図１４】例示的な実施形態における、ＳＭＳＣからのＳＭＳメッセージの失敗配信を示すメッセージ図である。
【図１５】例示的な実施形態における、ＳＭＳＣからのＳＭＳメッセージの別の失敗配信を示すメッセージ図である。
【図１６】例示的な実施形態における、ＳＭＳＣからのＳＭＳメッセージの別の失敗配信を示すメッセージ図である。
【発明を実施するための形態】
【００１０】
図面および以下の説明では、本発明の具体的な例示的実施形態を例示する。したがって、本明細書において明示的に記載することも示すこともないが、本発明の原理を実施するとともに本発明の範囲内に含まれる様々な構成を当業者は考案してよいことが理解されよう。さらに、本明細書に記載するどの例も、本発明の原理の理解を助けることを意図しており、具体的に記載するこのような例および条件に限定するものではないものと企図されるべきである。その結果、本発明は、後で説明する具体的な実施形態または例に限定されるのではなく、請求項およびその等価物によって限定される。
【００１１】
図１は、例示的な実施形態における通信ネットワーク１００を示す。通信ネットワーク１００は、ＬＴＥネットワーク１０２、ユニバーサル・メッセージ・センター１０４、加入者データベース１０６、およびストアアンドフォワード（ＳＦＤ）メッセージ・センター１０８を含む。ＬＴＥネットワーク１０２は、ユーザ機器（モバイル装置１３０〜１３１など）と、インターネットなど、外部のパケット・ネットワークとの間の接続性を提供するパケット・データ・ネットワーク・ゲートウェイ（ＰＤＮ−ＧＷ）１１２を含む。ＰＤＮ−ＧＷ１１２はまた、ユーザ機器との間でトラフィックをルーティングし、ユーザ機器にＩＰアドレスを割り振る、などのことを行う。ＬＴＥネットワーク１０２は、サービング・ゲートウェイ（Ｓ−ＧＷ）および移動管理エンティティ（ＭＭＥ）など、他のネットワーク要素を含み得ることが当業者には理解されよう。
【００１２】
ユニバーサル・メッセージ・センター１０４は、ＬＴＥネットワーク１０２を介してユーザ機器にメッセージを配信するように動作可能などのネットワーク要素も備える。ユニバーサル・メッセージ・センター１０４は、発展型パケット・コア（ＥＰＣ）ネットワークにおいて独立型要素として実装することができる。別の実施形態では、ユニバーサル・メッセージ・センター１０４は、ＳＭＳＣで、ＭＭＳＣで、または別のネットワーク要素で実装することができる。ユニバーサル・メッセージ・センター１０４は、制御システム１２２および配信システム１２４を含む。配信システム１２４の一例は、ＦＤＡ処理を実施するように動作可能な先行配信試行（ＦＤＡ）システムを含み得る。ＦＤＡ処理では、メッセージが初期時点で受信されると、メッセージを格納する前に、メッセージの配信が先に試みられる。ＦＤＡ処理は、配信試行のためにメッセージを手短にキューイングすることを伴い得ることが当業者には理解されよう。ただし、メッセージは、ストアアンドフォワード処理向けになされるように、永続的に格納されるわけではない。
【００１３】
加入者データベース１０６は、１人または複数の加入者に対する加入者情報または加入者データを格納し維持するどのデータベースまたは同様のシステムも含む。たとえば、加入者データベース１０６は、モバイル装置１３０〜１３１のユーザに対する加入者記録または加入者プロファイルの形で、加入者データを維持することができる。加入者データベース１０６の一例は、ホーム加入者サーバ（ＨＳＳ）である。
【００１４】
ＳＦＤメッセージ・センター１０８は、ストアアンドフォワード処理を用いるメッセージの配信を扱うように動作可能などのネットワーク要素も備える。たとえば、ＳＦＤメッセージ・センター１０８は、テキストまたはＳＭＳメッセージを配信するためのＳＭＳプロトコルを実装するＳＭＳＣを含み得る。別の例では、ＳＦＤメッセージ・センター１０８は、マルチメディアまたはＭＭＳメッセージを配信するためのＭＭＳプロトコルを実装するＭＭＳＣを含み得る。ストアアンドフォワード処理とは、先にメッセージを（永続的に）格納し、次いで、メッセージに対する配信試行を開始することによって、メッセージを配信するプロセスを指す。先行配信試行が不成功の場合、メッセージが配信され、または破棄されるまで、１度または複数のリトライ試行が実施される。１つの仮定は、ＳＦＤメッセージ・センター１０８が従来通り、ＵＭＴＳネットワークなどの非ＬＴＥネットワークを介してモバイル装置にメッセージを配信するものである。
【００１５】
本実施形態では、モバイル装置１３０がＬＴＥネットワーク１０２によるサービスに登録し、または加入すると仮定する。モバイル装置１３０は、予め割り当てられた静的ＩＰアドレスをもっている。モバイル装置１３０がＬＴＥネットワーク１０２に登録すると、ＬＴＥネットワーク１０２内のネットワーク要素が、モバイル装置１３０が登録されている間は装置１３０に動的ＩＰアドレスを割り当てる。たとえば、ＰＤＮ−ＧＷ１１２が、モバイル装置１３０に動的ＩＰアドレスを割り当ててよい。別の例では、サービング・ゲートウェイ（図示せず）が、モバイル装置１３０に動的ＩＰアドレスを割り当ててよい。動的ＩＰアドレスは、モバイル装置１３０に信号メッセージをルーティングするために使われ、本明細書ではモバイルＩＰアドレスと呼ばれる。モバイル装置１３１は、同様にして登録を行い、やはりＬＴＥネットワーク１０２内部でモバイルＩＰアドレスを割り当てられる。
【００１６】
モバイル装置１３０〜１３１がＬＴＥネットワーク１０２に登録されている状態において、モバイル装置１３０〜１３１と、図示していない他の装置との間でメッセージが交換され得る。モバイル装置１３０は、モバイル装置１３１に向けられたメッセージをＬＴＥネットワーク１０２に送ると仮定する。メッセージは、ＳＩＰメッセージなどの信号メッセージにカプセル化されることが当業者には理解されよう。メッセージをレガシーＳＭＳＣまたはＭＭＳＣに自動的にフォワードするのではなく、ＰＤＮ−ＧＷ１１２は、メッセージを、処理のためにユニバーサル・メッセージ・センター１０４にフォワードする。ユニバーサル・メッセージ・センター１０４のより詳細な動作を、図２に示す。
【００１７】
図２は、例示的な実施形態における、ＬＴＥネットワーク１０２を介してメッセージを配信する方法２００を示すフローチャートである。方法２００のステップを、図１の通信ネットワーク１００を参照して記載するが、方法２００は、他のネットワークおよびシステムでも実施され得ることが当業者には理解されよう。本明細書に記載するフローチャートのステップは、包括的ではなく、図示していない他のステップも含み得る。ステップは、代替的順序で実施してもよい。
【００１８】
ステップ２０２で、制御システム１２２が、モバイル装置１３１に向けられたメッセージを受信する。メッセージは、本実施形態ではテキスト・メッセージを含む。「テキスト・メッセージ」という用語は、テキストを含むショート・メッセージと定義されるが、画像、ビデオ、およびサウンド・コンテンツなどのマルチメディア・データを含むメッセージにも拡大される。「テキスト・メッセージ」のいくつかの例は、ＳＭＳメッセージ、ＭＭＳメッセージ、またはインスタント・メッセージ（ＩＭ）を含む。他の実施形態では、メッセージは、ｅメールまたは別のタイプのデータ・メッセージを含み得る。
【００１９】
ステップ２０４で、制御システム１２２は、モバイル装置１３１がＬＴＥ対応であるかどうか判定する。ＬＴＥ対応と見なされるためには、モバイル装置１３１は、モバイル装置１３１がＬＴＥネットワーク１０２と通信することを可能にするアプリケーションまたは機能を含む。このアプリケーションまたは機能は、ＬＴＥネットワーク１０２に登録し、登録解除する機能を含む。制御システム１２２は、ＬＴＥ対応であるモバイル装置のインジケータを有する、サービス・プロバイダによって用意されたローカル・データベースを維持することができる。モバイル装置は、国際移動体加入者識別（ＩＭＳＩ）または他の何らかの識別子に従って、ローカル・データベース中で索引づけられ得る。あるいは、制御システム１２２は、加入者データベース１０６に問い合わせて、モバイル装置１３１がＬＴＥ対応であるかどうか判定することができる。制御システム１２２は、ステップ２０４で、モバイル装置１３１がモバイル装置１３０と同じサービス・プロバイダによってサービスされるかどうか、さらに判定することができる。
【００２０】
モバイル装置１３１がＬＴＥ対応であるという判定に応答して、制御システム１２２は、ステップ２０６で、ＬＴＥネットワーク１０２においてモバイル装置１３１に割り当てられたモバイルＩＰアドレスを識別する。制御システム１２２が、モバイル装置１３１に割り当てられたモバイルＩＰアドレスを識別することが可能な様々なやり方がある。一例では、制御システム１２２は、図３にさらに示すが、加入者データベース１０６にモバイルＩＰアドレスを問い合わせればよい。別の例では、制御システム１２２は、図４にさらに示すが、ＰＤＮ−ＧＷ１１２にモバイルＩＰアドレスを問い合わせればよい。モバイルＩＰアドレスが識別されると、配信システム１２４は、ステップ２０８で、モバイルＩＰアドレスに基づいて、ＬＴＥネットワーク１０２を介してモバイル装置１３１にメッセージをフォワードしようと試みる。
【００２１】
モバイル装置１３１がＬＴＥ対応でないという判定に応答して、制御システム１２２は、ステップ２１０で、モバイル装置１３０に対するＳＦＤメッセージ・センター１０８を識別する。たとえば、制御システム１２２は、モバイル装置１３０の加入者電話番号またはネットワーク・アドレスに基づいて、予め定義されたルーティング・テーブルを処理して、モバイル装置１３０に対するＳＦＤメッセージ・センター１０８を識別することができる。制御システム１２２は代替的には、加入者データベース１０６に問い合わせてもよい。制御システム１２２は次いで、ステップ２１２で、メッセージを、ストアアンドフォワード処理のためにＳＦＤメッセージ・センター１０８にフォワードする。メッセージの受信に応答して、ＳＦＤメッセージ・センター１０８は、メッセージをメモリに（永続的に）格納する。ＳＦＤメッセージ・センター１０８は次いで、モバイル装置１３１へのメッセージの配信を試みる。先行配信試行が不成功の場合、一定期間（たとえば、１０分、３０分など）の後で、配信がリトライされる。メッセージが破棄される前に、予め定義された回数のリトライが実施される。
【００２２】
配信システム１２４が、（ステップ２０８で）モバイル装置１３１にメッセージをフォワードしようと試みるとき、配信システム１３４は、ＦＤＡ処理を使ってモバイル装置１３１にメッセージをフォワードしようと試みてよい。ＦＤＡ処理を使った先行配信試行が失敗した場合、配信システム１２２は、モバイル装置１３０に対するＳＦＤメッセージ・センター１０８を識別し、メッセージを、ストアアンドフォワード処理のためにＳＦＤメッセージ・センター１０８にフォワードする。
【００２３】
通信ネットワーク１００内にユニバーサル・メッセージ・センター１０４を実装することによって、メッセージは有利には、ＬＴＥネットワーク１０２を介してモバイル装置１３０〜１３１に配信され得る。ユニバーサル・メッセージ・センター１０４は、モバイル装置１３０〜１３１に対するモバイルＩＰアドレスを識別することによって、メッセージを配信することが可能である。モバイルＩＰアドレスが識別されると、ユニバーサル・メッセージ・センター１０４は有利には、レガシーＳＭＳＣ／ＭＭＳＣなどのストアアンドフォワード・メッセージ・センターにメッセージを先にフォワードすることなく、メッセージの配信を試みることができる。したがって、メッセージ・トラフィックの一部は、レガシーＳＭＳＣ／ＭＭＳＣからオフロードされ得る。
【００２４】
図３は、例示的な実施形態における、ＬＴＥネットワーク１０２においてモバイル装置１３１に割り当てられたモバイルＩＰアドレスを識別する方法３００を示すフローチャートである（図２のステップ２０６を参照）。方法３００の場合、制御システム１２２は、ＨＳＳなどの加入者データベース１０６に問い合わせて、モバイル装置１３１に割り当てられたモバイルＩＰアドレスを識別することができる。問合せのために、制御システム１２２は、ステップ３０２で、モバイルＩＰアドレスを要求する要求メッセージを加入者データベース１０６に送信する。要求メッセージは、静的ＩＰアドレスやＩＭＳＩなど、モバイル装置１３１の識別子を含む。ユニバーサル・メッセージ・センター１０４と加入者データベース１０６との間のインタフェースは、加入者データベース１０６がＨＳＳを含む場合などは、Ｄｉａｍｅｔｅｒ  Ｓｈインタフェースを含み得る。したがって、要求メッセージは、Ｄｉａｍｅｔｅｒ  Ｓｈユーザ・データ要求（ＵＤＲ）を含み得る。
【００２５】
要求メッセージに応答して、加入者データベース１０６は、モバイル装置１３１の加入者プロファイルを識別し、このプロファイルはモバイルＩＰアドレスを含む。モバイルＩＰアドレスは通常、３ＧＰＰ／３ＧＰＰ２仕様によると、加入者プロファイルには含まれない。したがって、新規フィールドが、モバイルＩＰアドレスに対する加入者プロファイル中に定義される。この新規フィールドは、ＬＴＥネットワーク１０２内の要素によって、たとえばＰＤＮ−ＧＷ１１２によって投入を受ける。ＨＳＳにモバイルＩＰアドレスを投入する一例を、図６に示してある。
【００２６】
図３のステップ３０４で、制御システム１２２は、モバイルＩＰアドレスを含む応答メッセージを加入者データベース１０６から受信する。応答メッセージは、Ｄｉａｍｅｔｅｒ  Ｓｈユーザ・データ回答（ＵＤＡ）を含み得る。本実施形態によると、応答メッセージ（たとえば、ＵＤＡ）は、モバイルＩＰアドレス用に定義された属性／値ペア（ＡＶＰ）を含む。このＡＶＰは、Ｄｉａｍｅｔｅｒ  Ｓｈプロトコルにおいて現時点では定義されていない新規ＡＶＰである。
【００２７】
図４は、例示的な実施形態における、ＬＴＥネットワーク１０２においてモバイル装置１３１に割り当てられたモバイルＩＰアドレスを識別する（図２のステップ２０６を参照）、別の方法４００を示すフローチャートである。方法４００の場合、制御システム１２２は、加入者データベース１０６に問い合わせて、ＰＤＮ−ＧＷ１１２に対するアドレスを識別することができる。本実施形態では、加入者データベース１０６ではなく、ＰＤＮ−ＧＷ１１２が、モバイル装置１３１のモバイルＩＰアドレスを格納する。問合せのために、制御システム１２２は、ステップ４０２で、ＰＤＮ−ＧＷ１１２のアドレスを要求する要求メッセージ（たとえば、Ｄｉａｍｅｔｅｒ  Ｓｈ  ＵＤＲ）を加入者データベース１０６に送信する。要求メッセージは、モバイル装置１３１の、静的ＩＰアドレスやＩＭＳＩなどの識別子を含む。
【００２８】
要求メッセージに応答して、加入者データベース１０６は、モバイル装置１３１にサービスしているＰＤＮ−ＧＷ１１２を識別し、ＰＤＮ−ＧＷアドレスを含む応答メッセージ（たとえば、Ｄｉａｍｅｔｅｒ  Ｓｈ  ＵＤＡ）を制御システム１２２に返送する。制御システム１２２は次いで、ステップ４０４で応答メッセージを受信する。制御システム１２２は次いで、モバイル装置１３１のモバイルＩＰアドレスをＰＤＮ−ＧＷ１１２に問い合わせればよい。この問合せのために、制御システム１２２は、ステップ４０６で、ＰＤＮ−ＧＷアドレスに基づいて、ＰＤＮ−ＧＷ１１２に別の要求メッセージを送信する。この要求は、ＰＤＮ−ＧＷ１１２内に格納されている、モバイル装置１３１に割り当てられたモバイルＩＰアドレスを求めるものである。
【００２９】
ユニバーサル・メッセージ・センター１０４は、通信ネットワーク内で予め実装されているわけでも提案されているわけでもないので、ユニバーサル・メッセージ・センター１０４とＰＤＮ−ＧＷ１１２との間に、提案されているインタフェースはない。本明細書で提供されるように、ＳＩＰインタフェースを、ユニバーサル・メッセージ・センター１０４とＰＤＮ−ＧＷとの間で使うことができる。したがって、要求メッセージは、モバイル装置１３１のモバイルＩＰアドレスを要求するＳＩＰ  ＯＰＴＩＯＮＳを含み得る。
【００３０】
要求メッセージに応答して、ＰＤＮ−ＧＷ１１２は、モバイル装置１３１のモバイルＩＰアドレスを識別する。ＰＤＮ−ＧＷ１１２は次いで、モバイル装置１３１のモバイルＩＰアドレスを有する応答メッセージを制御システム１２２に返送する。応答メッセージは、ＳＩＰ２００ＯＫを含み得る。ステップ４０８で、制御システム１２２は、モバイルＩＰアドレスを含む応答メッセージをＰＤＮ−ＧＷ１１２から受信する。本実施形態によると、応答メッセージは、モバイルＩＰアドレス用に定義されたフィールドを含む。このフィールドは、ユニバーサル・メッセージ・センター１０４とＰＤＮ−ＧＷ１１２との間のＳＩＰインタフェースにおいて現時点では定義されていない新規フィールドである。
【実施例】
【００３１】
図５は、別の例示的実施形態における通信ネットワーク５００を示す。通信ネットワーク５００は、ＬＴＥネットワーク５０２、ＵＭＴＳネットワーク５０３、ユニバーサル・メッセージ・センター５０４、ホーム加入者サーバ（ＨＳＳ）５０６、およびＳＭＳＣ５０８を含む。ＬＴＥネットワーク５０２は、Ｅ−ＵＴＲＡＮ５１２（次世代ＵＴＲＡＮ）、移動管理エンティティ（ＭＭＥ）５１４、サービング・ゲートウェイ（Ｓ−ＧＷ）５１６、およびＰＤＮ−ＧＷ５１８を含む。ＵＭＴＳネットワーク５０３は、ＵＴＲＡＮ５２２、移動スイッチング・センター（ＭＳＣ）５２４、サービングＧＰＲＳサポート・ノード（ＳＧＳＮ）５２６、およびホーム・ロケーション・レジスタ（ＨＬＲ）５２８を含む。ＬＴＥネットワーク５０２およびＵＭＴＳネットワーク５０３は両方とも、モバイル装置５３０にサービスを提供することが可能である。
【００３２】
このアーキテクチャにおいて、ユニバーサル・メッセージ・センター５０４は、ＬＴＥネットワーク５０２を介してモバイル装置５３０にメッセージを配信するための、新たに実装されたシステムである。メッセージを配信するために、ユニバーサル・メッセージ・センター５０４は、ＨＳＳ５０６またはＰＤＮ−ＧＷ５１８のどちらかから、モバイル装置５３０のモバイルＩＰアドレスにアクセスする。ユニバーサル・メッセージ・センター５０４とＨＳＳ５０６との間の通信を可能にするために、Ｄｉａｍｅｔｅｒ  Ｓｈインタフェースが使われる。Ｄｉａｍｅｔｅｒ  Ｓｈインタフェースは、本実施形態において、ＨＳＳ５０６が、ユニバーサル・メッセージ・センター５０４にモバイルＩＰアドレスを与えることが可能になるように、モバイルＩＰアドレス用の新規定義属性／値ペア（ＡＶＰ）を含むようにアップグレードされ、または修正される。同様に、ユニバーサル・メッセージ・センター５０４とＰＤＮ−ＧＷ５１８との間の通信を可能にするために、ＳＩＰインタフェースが使われる。ＳＩＰインタフェースは、本実施形態において、ＰＤＮ−ＧＷ５１８が、ユニバーサル・メッセージ・センター５０４にモバイルＩＰアドレスを与えることが可能になるように、モバイルＩＰアドレス用の新規定義フィールドまたはパラメータを含むようにアップグレードされ、または修正される。
【００３３】
図６は、例示的な実施形態における、ＬＴＥネットワーク５０２へのモバイル装置５３０の登録を示すメッセージ図である。図６において、モバイル装置５３０は、ＭＭＥ５１４に登録メッセージ（アタッチ要求）を送信する。登録メッセージに応答して、ＭＭＥ５１４は、当業者にとって公知なように、１つまたは複数のメッセージを交換することによって、モバイル装置５３０を認証する。ＭＭＥ５１４は次いで、モバイル装置５３０のモバイルＩＰアドレスを獲得するためのセッション作成要求メッセージをＰＤＮ−ＧＷ５１８に（Ｓ−ＧＷ５１６を経由して）送信する。ＰＤＮ−ＧＷ５１８は、モバイル装置に動的ＩＰアドレスを割り振るネットワーク要素である。したがって、ＰＤＮ−ＧＷ５１８は、モバイル装置５３０の動的モバイルＩＰアドレスでＭＭＥ５１４に応答する。ＭＭＥ５１４は次いで、モバイル装置５３０のモバイルＩＰアドレスを含む、ＳＩＰ  ＮＯＴＩＦＹなどの通知メッセージをＨＳＳ５０６に送信する。モバイルＩＰアドレスは、通知メッセージのＭＩＰ６−Ａｃｔｉｖｅ−Ｉｎｆｏ  ＡＶＰに挿入され得る。通知メッセージに応答して、ＨＳＳ５０６は、モバイル装置５３０の加入者プロファイルにモバイルＩＰアドレスを格納する。ＨＳＳ５０６内で維持される加入者プロファイルは、モバイルＩＰアドレスの新規定義フィールドを含む。ＨＳＳ５０６は、ＳＩＰ２００ＯＫでＭＭＥ５１４に返答する。本実施形態ではＨＳＳ５０６とＭＭＥ５１４との間でＳＩＰが使われるが、他の実施形態では拡張Ｄｉａｍｅｔｅｒ  Ｃｘインタフェースも使うことができる。
【００３４】
代替形態として、図７は、別の例示的実施形態における、ＬＴＥネットワーク５０２へのモバイル装置５３０の登録を示すメッセージ図である。図７は、ＰＤＮ−ＧＷ５１８がＳ−ＧＷ５１６を経由してＭＭＥ５１４からセッション作成要求メッセージを受信するまで、図６でのように進む。モバイル装置５３０のモバイルＩＰアドレスでＭＭＥ５１４に応答するのではなく、ＰＤＮ−ＧＷ５１８は、モバイル装置５３０の静的ＩＰアドレスおよびＧＷ５１８自体のアドレス（ＰＤＮ−ＧＷアドレスと呼ばれる）で、ＭＭＥ５１４に応答する。ＭＭＥ５１４は次いで、モバイル装置５３０の静的ＩＰアドレスおよびＰＤＮ−ＧＷアドレスを含む、ＳＩＰ  ＮＯＴＩＦＹなどの通知メッセージをＨＳＳ５０６に送信する。通知メッセージに応答して、ＨＳＳ５０６は、ＰＤＮ−ＧＷアドレスを、モバイル装置５３０の加入者プロファイルに格納する。繰り返しになるが、ＨＳＳ５０６内で維持される加入者プロファイルは、ＰＤＮ−ＧＷアドレス用の新規定義フィールドを含む。ＨＳＳ５０６は、ＳＩＰ２００ＯＫでＭＭＥ５１４に返答する。
【００３５】
モバイル装置５３０が登録された状態で、ユニバーサル・メッセージ・センター５０４は、ＬＴＥネットワーク５０２を介してモバイル装置５３０に直接（先にメッセージをＳＭＳＣ５０８にフォワードせずに）、ＳＭＳメッセージを配信しようと試みることができる。図８は、例示的な実施形態における、ＳＭＳメッセージの成功配信を示すメッセージ図である。ユニバーサル・メッセージ・センター（ＵＭＣ）５０４は、モバイル装置５３０のユーザに向けられたモバイル着信（ＭＴ）ＳＭＳメッセージを受信すると仮定する。メッセージの受信に応答して、ユニバーサル・メッセージ・センター５０４は、モバイル装置５３０がＬＴＥ対応であり、同じサービス・プロバイダ・ネットワーク内にあると判定する。したがって、ユニバーサル・メッセージ・センター５０４は、モバイルＩＰアドレスを求めるＤｉａｍｅｔｅｒ  Ｓｈ  ＵＤＲをＨＳＳ５０６に送信することによって、ＬＴＥネットワーク５０２においてモバイル装置５３０に割り当てられたモバイルＩＰアドレスを識別する。ＵＤＲに応答して、ＨＳＳ５０６は、モバイル装置５３０に関連づけられた加入者プロファイルを識別し、加入者プロファイルに格納されたモバイルＩＰアドレスも識別する。ＨＳＳ５０６は次いで、モバイルＩＰアドレスを含むＤｉａｍｅｔｅｒ  Ｓｈ  ＵＤＡをユニバーサル・メッセージ・センター５０４に送信する。モバイルＩＰアドレスは、Ｄｉａｍｅｔｅｒ  Ｓｈ  ＵＤＡの新規定義ＡＶＰに挿入される。モバイルＩＰアドレスが識別されると、ユニバーサル・メッセージ・センター５０４は、モバイルＩＰアドレスに基づいて、ＬＴＥネットワーク５０２を介して（ＰＤＮ−ＧＷ５１８を通して）モバイル装置５３０にＳＭＳメッセージをフォワードしようと試みる。より具体的には、ユニバーサル・メッセージ・センター５０４は、ＳＭＳメッセージを含むＳＩＰ  ＭＥＳＳＡＧＥをＰＤＮ−ＧＷ５１８にフォワードし、ＰＤＮ−ＧＷ５１８は、Ｅ−ＵＴＲＡＮ５１２の信号チャネルを介してモバイル装置５３０にＳＩＰ  ＭＥＳＳＡＧＥをフォワードする（図５も参照）。ユニバーサル・メッセージ・センター５０４は、ＳＭＳメッセージの先行配信試行のために、ＦＤＡシステム５３６を使う。したがって、ユニバーサル・メッセージ・センター５０４は、ＳＭＳＣ５０８などにＳＭＳメッセージを格納する前に、先に配信を試みる。配信試行が成功した場合、モバイル装置５３０は、ＳＩＰ２００ＯＫをＰＤＮ−ＧＷ５１８に送信し、ＧＷ５１８は、ユニバーサル・メッセージ・センター５０４に２００ＯＫを送る。
【００３６】
図８において、ユニバーサル・メッセージ・センター５０４は、ＨＳＳ５０６に問い合わせて、モバイル装置５３０のモバイルＩＰアドレスを獲得することが可能である（図６の登録を参照）。ユニバーサル・メッセージ・センター５０４は代替的には、ＰＤＮ−ＧＷ５１８に問い合わせて、モバイル装置５３０のモバイルＩＰアドレスを獲得してもよい（図７の登録を参照）。図９は、例示的な実施形態における、ＳＭＳメッセージの別の成功配信を示すメッセージ図である。再度、ユニバーサル・メッセージ・センター（ＵＭＣ）５０４は、モバイル装置５３０のユーザに向けられたモバイル着信（ＭＴ）ＳＭＳメッセージを受信すると仮定する。メッセージの受信に応答して、ユニバーサル・メッセージ・センター５０４は、モバイル装置５３０がＬＴＥ対応であり、同じサービス・プロバイダ・ネットワーク内にあると判定する。したがって、ユニバーサル・メッセージ・センター５０４は、ＰＤＮ−ＧＷ５１８のアドレスを求めるＤｉａｍｅｔｅｒ  Ｓｈ  ＵＤＲをＨＳＳ５０６に先に送信することによって、ＬＴＥネットワーク５０２においてモバイル装置５３０に割り当てられたモバイルＩＰアドレスを識別する。ＵＤＲに応答して、ＨＳＳ５０６は、モバイル装置５３０に関連づけられた加入者プロファイルを識別し、加入者プロファイルに格納されたＰＤＮ−ＧＷアドレスも識別する。ＨＳＳ５０６は次いで、ＰＤＮ−ＧＷアドレスを含むＤｉａｍｅｔｅｒ  Ｓｈ  ＵＤＡをユニバーサル・メッセージ・センター５０４に送信する。
【００３７】
次に、ユニバーサル・メッセージ・センター５０４は、モバイル装置５３０のモバイルＩＰアドレスを要求するＳＩＰ  ＯＰＴＩＯＮＳをＰＤＮ−ＧＷ５１８に送信する。ＳＩＰ  ＯＰＴＩＯＮＳに応答して、ＰＤＮ−ＧＷ５１８は、モバイル装置５３０に関して格納されたモバイルＩＰアドレスを識別する。ＰＤＮ−ＧＷ５１８は次いで、モバイルＩＰアドレスを含むＳＩＰ２００ＯＫをユニバーサル・メッセージ・センター５０４に送信する。モバイルＩＰアドレスは、ＳＩＰ２００ＯＫの新規定義フィールドに挿入される。モバイルＩＰアドレスが識別されると、ユニバーサル・メッセージ・センター５０４は、再度ＦＤＡシステム５３６を使って、モバイルＩＰアドレスに基づき、ＬＴＥネットワーク５０２を介して（ＰＤＮ−ＧＷ５１８を通して）モバイル装置５３０にメッセージをフォワードしようと試みる。より具体的には、ユニバーサル・メッセージ・センター５０４は、ＳＭＳメッセージを含むＳＩＰ  ＭＥＳＳＡＧＥをＰＤＮ−ＧＷ５１８にフォワードし、ＰＤＮ−ＧＷ５１８は、Ｅ−ＵＴＲＡＮ５１２の信号チャネルを介してモバイル装置５３０にＳＩＰ  ＭＥＳＳＡＧＥをフォワードする（図５も参照）。配信試行が成功した場合、モバイル装置５３０は、ＳＩＰ２００ＯＫをＰＤＮ−ＧＷ５１８に送信し、ＧＷ５１８は、ユニバーサル・メッセージ・センター５０４に２００ＯＫを送る。
【００３８】
図１０は、例示的な実施形態における、ＳＭＳメッセージの失敗配信を示すメッセージ図である。図１０のメッセージ図は、ユニバーサル・メッセージ・センター５０４がＬＴＥネットワーク５０２を介してモバイル装置５３０にメッセージをフォワードしようと試みるまでは、図８と同様である。本実施形態では、配信試行は失敗した。配信失敗の識別に応答して、ユニバーサル・メッセージ・センター（ＵＭＣ）５０４は、ＳＭＳメッセージの発信元に対するＳＭＳＣ５０８を識別する。たとえば、ユニバーサル・メッセージ・センター５０４は、ローカルに用意されたデータに基づいて、またはＨＳＳ５０６に問い合わせることによって、ＳＭＳＣ５０８を識別し得る。ユニバーサル・メッセージ・センター５０４は次いで、ＳＭＳＣ５０８にＭＡＰ  ＭＴフォワード・ショート・メッセージ（ＭＡＰ  ＭＴ−Ｆｏｒｗａｒｄ−ＳＭ）を送ることによって、ＳＭＳメッセージを、識別されたＳＭＳＣ５０８にフォワードする。ＳＭＳＣ５０８は次いで、ＳＭＳメッセージを格納し、ストアアンドフォワード処理を用いて、さらなる配信試行を開始する。ＳＭＳＣ５０８は、ＵＭＴＳネットワーク５０３を介してモバイル装置５３０にＳＭＳメッセージを配信しようと試みる。
【００３９】
失敗配信の別の実施形態では、ユニバーサル・メッセージ・センター５０４は、図９に示すのと同じように、モバイルＩＰアドレスではなく、ＰＤＮ−ＧＷアドレスをＨＳＳ５０６に問い合わせてもよい。
【００４０】
図１１は、例示的な実施形態における、ＬＴＥ対応でないモバイル装置へのＳＭＳメッセージの配信を示すメッセージ図である。再度、ユニバーサル・メッセージ・センター（ＵＭＣ）５０４は、モバイル装置５３０のユーザに向けられたモバイル着信（ＭＴ）ＳＭＳメッセージを受信すると仮定する。メッセージの受信に応答して、ユニバーサル・メッセージ・センター５０４は、モバイル装置５３０がＬＴＥ対応でないと判定する。したがって、ユニバーサル・メッセージ・センター５０４は、ＳＭＳメッセージの発信元に対するＳＭＳＣ５０８を識別し、ＳＭＳＣ５０８にＭＡＰ  ＭＴフォワード・ショート・メッセージ（ＭＡＰ  ＭＴ−Ｆｏｒｗａｒｄ−ＳＭ）を送ることによって、識別されたＳＭＳＣ５０８にＳＭＳメッセージをフォワードする。ＳＭＳＣ５０８は次いで、ＳＭＳメッセージを格納し、ストアアンドフォワード処理を用いて、ＵＭＴＳネットワーク５０３を介した配信試行を開始する。ＳＭＳＣ５０８は、モバイル装置５３０の現在の場所を要求するＭＡＰショート・メッセージ用ルーティング情報送付（ＳＲＩ−ＳＭ）を、ＳＴＰ５２９を通してＨＬＲ５２８に送信する。ＨＬＲ５２８は、モバイル装置５３０にサービスしているＭＳＣ５２４を識別し、ＭＳＣアドレスを含むＳＲＩ−ＳＭ受信通知をＳＭＳＣ５０８に送信する。ＳＭＳＣ５０８は次いで、ＭＳＣアドレスに基づいてＭＳＣ５２４にＭＴ−Ｆｏｒｗａｒｄ−ＳＭメッセージを送ることによって、ＳＭＳメッセージを配信しようと試みる。ＭＴ−Ｆｏｒｗａｒｄ−ＳＭメッセージに応答して、ＭＳＣ５２４は、モバイル装置５３０にページングする。モバイル装置５３０がページングに確認応答した場合、ＭＳＣ５２４は、ＵＴＲＡＮ５２２のエア・インタフェースを介したＳＣＣＰ接続において搬送される直接転送アプリケーション部分（ＤＴＡＰ）を使って、モバイル装置５３０にＳＭＳメッセージを送る（図５も参照）。先行配信試行が成功した場合、ＭＳＣ５２４は、ＳＭＳメッセージの成功配信を示すＭＴ−Ｆｏｒｗａｒｄ−ＳＭ応答をＳＭＳＣ５０８に送る。先行配信試行が不成功の場合、ＳＭＳＣ５０８は、予め定義された時間間隔の後、再試行を開始することになる。
【００４１】
図８〜１１の実施形態では、ＳＭＳメッセージの発信元は、ＬＴＥネットワークの加入者であると仮定された。したがって、ユニバーサル・メッセージ・センター５０４は、ＳＭＳＣ５０８にＳＭＳメッセージが送られる前に、先にＳＭＳメッセージを受信する。ＳＭＳメッセージの発信元がＬＴＥ加入者ではない場合、ＳＭＳメッセージは、先にＳＭＳＣ５０８にフォワードされる。図１２は、例示的な実施形態における、ＳＭＳＣからのＳＭＳメッセージの成功配信を示すメッセージ図である。ＳＭＳＣ５０８は、モバイル装置５３０のユーザに向けられたモバイル着信（ＭＴ）ＳＭＳメッセージを受信すると仮定する。ＳＭＳメッセージの受信に応答して、ＳＭＳＣ５０８は、モバイル装置５３０の場所を発見する必要がある。発見のために、ＳＭＳＣ５０８は、ＳＴＰ５２９を通して、モバイル装置５３０の現在の場所を要求するＭＡＰショート・メッセージ用ルーティング情報送付（ＳＲＩ−ＳＭ）をＨＬＲ５２８に送信する（図５も参照）。本実施形態では、ＳＴＰ５２９は、ＳＭＳＣ５０８とＨＬＲ５２８との間に配置されているのだが、ＳＭＳＣ５０８からのＭＡＰ  ＳＲＩ−ＳＭを傍受する。ＳＴＰ５２９は、ＭＡＰ  ＳＲＩ−ＳＭ中のＨＬＲ信号局コードを、ユニバーサル・メッセージ・センター５０４用の信号局コードで置き換える。したがって、ＭＡＰ  ＳＲＩ−ＳＭは、ＨＬＲ５２８ではなくユニバーサル・メッセージ・センター５０４にルーティングされる。
【００４２】
ＭＡＰ  ＳＲＩ−ＳＭの受信に応答して、ユニバーサル・メッセージ・センター５０４は、ＰＤＮ−ＧＷ５１８のＰＤＮ−ＧＷアドレスと、すべてのＵＭＴＳモバイル装置に関連づけられた一意の番号である、モバイル装置５３０の国際移動体加入者識別（ＩＭＳＩ）とを求めるＵＤＲをＨＳＳ５０６に送信する。ＨＳＳ５０６は、モバイル装置５３０の加入者プロファイルを処理し、ＰＤＮ−ＧＷアドレスおよびＩＭＳＩを含むＵＤＡで応答する。次に、ユニバーサル・メッセージ・センター５０４は、モバイル装置５３０のモバイルＩＰアドレスを要求するＳＩＰ  ＯＰＴＩＯＮＳをＰＤＮ−ＧＷ５１８に送信する。ＳＩＰ  ＯＰＴＩＯＮＳに応答して、ＰＤＮ−ＧＷ５１８は、モバイル装置５３０用に格納されたモバイルＩＰアドレスを識別する。ＰＤＮ−ＧＷ５１８は次いで、モバイルＩＰアドレスを含むＳＩＰ２００ＯＫをユニバーサル・メッセージ・センター５０４に送信する。
【００４３】
ＨＳＳ５０６がモバイル装置５３０の加入者プロファイルにモバイルＩＰアドレスを格納している場合、ユニバーサル・メッセージ・センター５０４は、ＨＳＳ５０６にモバイルＩＰアドレスを直接問い合わせてよいことが当業者には理解されよう。このシナリオでは、ＰＤＮ−ＧＷ５１８への問合せは必要とされず、このことは図１３に示してある。
【００４４】
図１２または１３において、ユニバーサル・メッセージ・センター５０４は、最後に見たＰＤＮアドレス、ＰＤＮ−ＧＷアドレス、および最新の配信失敗回数で、データベース（ＩＭＳＩ／ＭＳＩＤＮをキーとする）を維持する。モバイルＩＰアドレスを獲得するための問合せが成功した場合、ユニバーサル・メッセージ・センター５０４は、モバイル装置５３０がＬＴＥ対応である（すなわち、ＬＴＥネットワーク５０２に登録されている）と判定する。ユニバーサル・メッセージ・センター５０４は次いで、それ自体のアドレス（すなわち、Ｅ．１６４アドレス）を、サービングＭＳＣ５２４のアドレスの代わりにルーティング情報としてＳＲＩ−ＳＭ受信通知に挿入し、ＳＲＩ−ＳＭ受信通知をＳＭＳＣ５０８に送る。
【００４５】
ＳＲＩ−ＳＭ受信通知に応答して、ＳＭＳＣ５０８は、ＳＭＳメッセージをモバイル装置５３０に配信しようと試みる。そうするために、ＳＭＳＣ５０８は、ＳＲＩ−ＳＭ受信通知に入れて戻されたアドレスにＭＡＰ  ＭＴフォワード・ショート・メッセージ（ＭＡＰ  ＭＴ−Ｆｏｒｗａｒｄ−ＳＭ）を送るが、このアドレスは、ユニバーサル・メッセージ・センター５０４のＥ．１６４アドレスである。したがって、ＳＭＳＣ５０８は、ＳＭＳメッセージを、ＭＴ−Ｆｏｒｗａｒｄ−ＳＭに入れてユニバーサル・メッセージ・センター５０４にフォワードする。ユニバーサル・メッセージ・センター５０４は次いで、ＳＭＳメッセージを含むＭＴ−Ｆｏｒｗａｒｄ−ＳＭからＳＩＰ  ＭＥＳＳＡＧＥを生成し、ＦＤＡ処理を使って、ＰＤＮ−ＧＷ５１８を経由してＳＩＰ  ＭＥＳＳＡＧＥをモバイル装置５３０に送ろうと試みる。配信試行が成功した場合、モバイル装置５３０は、ＳＩＰ２００ＯＫをＰＤＮ−ＧＷ５１８に送信し、ＧＷ５１８は、ユニバーサル・メッセージ・センター５０４に２００ＯＫを送る。ユニバーサル・メッセージ・センター５０４は、ＳＭＳメッセージの成功配信を示すＭＴ−Ｆｏｒｗａｒｄ−ＳＭ応答をＳＭＳＣ５０８に送る。
【００４６】
図１２〜１３のようなメッセージ配信は、多くの利点をもたらす。第１に、メッセージ配信は、ＵＭＴＳネットワーク５０３ではなくＬＴＥネットワーク５０２を介して実施され、そうすることによって、ＭＳＣ５２４などのＵＭＴＳネットワーク５０３に資源が保存される。ユニバーサル・メッセージ・センター５０４がＦＤＡ処理を用いるので、ユニバーサル・メッセージ・センター５０４内に大型記憶設備が必要とされない。また、ユニバーサル・メッセージ・センター５０４は、レガシーＳＭＳＣインタフェースをサポートするので、ＳＭＳＣ５０８を、ＬＴＥネットワーク５０２を介したＳＭＳメッセージの配信を可能にするように変更する必要がない。
【００４７】
図１４は、例示的な実施形態における、ＳＭＳＣからのＳＭＳメッセージの失敗配信を示すメッセージ図である。本実施形態では、ＬＴＥネットワーク５０２上で配信が失敗した場合、ユニバーサル・メッセージ・センター（ＵＭＣ）５０４は、メッセージ配信のためにＵＭＴＳデータ・ネットワーク（ＳＧＳＮ）に切り換える。配信試行は、図１２または１３でのように実施されると仮定する。ただし、ユニバーサル・メッセージ・センター（ＵＭＣ）５０４は、メッセージ配信が失敗したという指示を受信する。配信失敗の識別に応答して、ユニバーサル・メッセージ・センター（ＵＭＣ）５０４は、メッセージ配信のためにＵＭＴＳネットワーク５０３に切り換える。切換えのために、ユニバーサル・メッセージ・センター５０４は、ＨＬＲ５２８にＳＲＩ−ＧＰＲＳを送る。登録されている装置に対して、ＨＬＲ５２８は、ＳＧＳＮ５２６の識別子またはアドレスを、ＳＲＩ−ＧＰＲＳ受信通知に入れて戻す。ユニバーサル・メッセージ・センター５０４は次いで、ＳＧＳＮ  ＩＤに基づいてＳＧＳＮ５２６にＳＩＰ  ＭＥＳＳＡＧＥを送り、ＳＧＳＮ５２６は、ＵＭＴＳネットワーク５３０を介してＳＩＰ  ＭＥＳＳＡＧＥをモバイル装置５３０に配信する。配信が成功した場合、モバイル装置５３０は、ＳＩＰ２００ＯＫをＳＧＳＮ５２６に送信し、ＳＧＳＮ５２６は、ユニバーサル・メッセージ・センター５０４に２００ＯＫを送る。ユニバーサル・メッセージ・センター５０４は次いで、ＳＭＳメッセージの成功配信を示すＭＴ−Ｆｏｒｗａｒｄ−ＳＭ応答をＳＭＳＣ５０８に送る。
【００４８】
図１５〜１６は、例示的な実施形態における、ＳＭＳＣからのＳＭＳメッセージの別の失敗配信を示すメッセージ図である。本実施形態では、ＬＴＥネットワーク５０２上で配信が失敗した場合、ユニバーサル・メッセージ・センター（ＵＭＣ）５０４は、メッセージ配信のためにＵＭＴＳ音声ネットワーク（ＭＳＣ）に切り換える。配信試行は、図１２または１３でのように実施されると仮定する。ただし、ユニバーサル・メッセージ・センター（ＵＭＣ）５０４は、メッセージ配信が失敗したという、図１５の指示を受信する。配信失敗の識別に応答して、ユニバーサル・メッセージ・センター５０４は、メッセージ配信のためにＵＭＴＳネットワーク５０３に切り換える。切換えのために、ユニバーサル・メッセージ・センター５０４は、失敗指示を有するＭＴ−Ｆｏｒｗａｒｄ−ＳＭをＳＭＳＣ５０８に送る。ＳＭＳＣ５０８は、一定の時間間隔の後、メッセージ配信をリトライする。時間間隔が満了すると、ＳＭＳＣ５０８は再度、モバイル装置５３０の現在の場所を要求するＭＡＰ  ＳＲＩ−ＳＭを、ＳＴＰ５２９を通してＨＬＲ５２８に送信する。ＳＴＰ５２９は、ＳＭＳＣ５０８からのＭＡＰ  ＳＲＩ−ＳＭを傍受し、ＭＡＰ  ＳＲＩ−ＳＭ中のＨＬＲ信号局コードを、ユニバーサル・メッセージ・センター５０４の信号局コードで置き換える。したがって、ＭＡＰ  ＳＲＩ−ＳＭは、ＨＬＲ５２８ではなくユニバーサル・メッセージ・センター５０４に再度ルーティングされる。ＭＡＰ  ＳＲＩ−ＳＭの受信に応答して、ユニバーサル・メッセージ・センター５０４は、ＰＤＮ−ＧＷ５１８のＰＤＮ−ＧＷアドレスを要求するＵＤＲをＨＳＳ５０６に送信する。ＨＳＳ５０６は、ＰＤＮ−ＧＷアドレスを識別し、ＰＤＮ−ＧＷアドレスを含むＳＩＰ２００ＯＫをユニバーサル・メッセージ・センター５０４に返送する。ユニバーサル・メッセージ・センター５０４は次いで、モバイル装置５３０のモバイルＩＰアドレスを要求するＳＩＰ  ＯＰＴＩＯＮＳをＰＤＮ−ＧＷ５１８に送信する。ＳＩＰ  ＯＰＴＩＯＮＳに応答して、ＰＤＮ−ＧＷ５１８は、モバイル装置５３０用に格納されているモバイルＩＰアドレスを識別する。ＰＤＮ−ＧＷ５１８は次いで、モバイルＩＰアドレスを含むＳＩＰ２００ＯＫをユニバーサル・メッセージ・センター５０４に送信する。
【００４９】
ＨＳＳ５０６がモバイル装置５３０の加入者プロファイルにモバイルＩＰアドレスを格納している場合、ユニバーサル・メッセージ・センター５０４は、ＨＳＳ５０６にモバイルＩＰアドレスを直接問い合わせてよいことが当業者には理解されよう。このシナリオでは、ＰＤＮ−ＧＷ５１８への問合せは必要とされない。
【００５０】
図１６において、ユニバーサル・メッセージ・センター５０４は、ＰＤＮ−ＧＷアドレスの変更、モバイルＩＰアドレスの変更、またはＬＴＥリトライタイマに基づいて、ＬＴＥ配信を再度試みるかどうか判定する。このシナリオでは、ＰＤＮ−ＧＷアドレスの変更もモバイルＩＰアドレスの変更も仮定せず、ＬＴＥリトライタイマは満了していない。したがって、ユニバーサル・メッセージ・センター５０４は、モバイル装置５３０の現在の場所（ＣｇＰＡ＝ＵＭＣ  Ｅ．１６４）を要求するＳＲＩ−ＳＭを、ＳＴＰ５２９を通してＨＬＲ５２８に送信する。ＨＬＲ５２８は、データベース・ルックアップを実施して、モバイル装置５３０の現在の場所を取り出し、モバイル装置５３０の現在の場所を示すＳＲＩ−ＳＭ受信通知をユニバーサル・メッセージ・センター５０４に戻す。現在の場所は、モバイル装置５３０にサービスしているＭＳＣ５２４のアドレス（ＭＳＣ  ＡＤＤＲ）でよい。ユニバーサル・メッセージ・センター５０４は次いで、ＭＳＣ５２８のアドレス（またはＩＤ）を示すＳＲＩ−ＳＭ受信通知をＳＭＳＣ５０８に送信する。このＳＲＩ−ＳＭ受信通知は、ＳＲＩ−ＳＭに応答してＳＭＳＣ５０８がＨＬＲ５２８から受信するはずのＳＲＩ−ＳＭ受信通知と似ている。したがって、ＳＭＳＣ５０８は、ＭＳＣ５２４にＭＴ−Ｆｏｒｗａｒｄ−ＳＭメッセージを送ることによって、ＳＭＳメッセージを配信しようと試みる。ＭＳＣ５２４は次いで、モバイル装置５３０にページングする。モバイル装置５３０がページングに確認応答した場合、ＭＳＣ５２４は、ＵＴＲＡＮ５２２のエア・インタフェースを介してＳＣＣＰ接続において搬送される直接転送アプリケーション部分（ＤＴＡＰ）を使って、モバイル装置５３０にＳＭＳメッセージを送る（図５も参照）。配信が成功した場合、ＭＳＣ５２４は、ＳＭＳメッセージの成功配信を示すＭＴ−Ｆｏｒｗａｒｄ−ＳＭ応答をＳＭＳＣ５０８に送る。
【００５１】
図面に示し、または本明細書に記載した様々な要素のいずれも、ハードウェア、ソフトウェア、ファームウェア、またはこれらの何らかの組合せとして実装することができる。たとえば、ある要素は、専用ハードウェアとして実装することができる。専用ハードウェア要素は、「プロセッサ」、「コントローラ」、または何らかの同様の用語と呼ばれ得る。プロセッサによって提供される場合、機能は、その一部が共有され得る、単一の専用プロセッサによって、単一の共有プロセッサによって、または複数の個別プロセッサによって提供され得る。さらに、「プロセッサ」または「コントローラ」という用語の明示的使用は、ソフトウェアを実行することが可能なハードウェアを排他的に指すものと企図されるべきでなく、暗黙的には、限定なしで、デジタル信号プロセッサ（ＤＳＰ）ハードウェア、ネットワーク・プロセッサ、特定用途向け集積回路（ＡＳＩＣ）または他の回路構成、フィールド・プログラム可能ゲート・アレイ（ＦＰＧＡ）、ソフトウェアを格納する読出し専用メモリ（ＲＯＭ）、ランダム・アクセス・メモリ（ＲＡＭ）、不揮発性記憶装置、ロジック、または他の何らかの物理的ハードウェア構成要素もしくはモジュールを含み得る。
【００５２】
また、ある要素は、要素の機能を実施するようにプロセッサまたはコンピュータによって実行可能な命令として実装され得る。命令のいくつかの例は、ソフトウェア、プログラム・コード、およびファームウェアである。命令は、プロセッサによって実行されると、要素の機能を実施するよう、プロセッサに命じるように動作可能である。命令は、プロセッサによって可読な記憶装置に格納することができる。記憶装置のいくつかの例は、デジタルまたは固体状態メモリ、磁気ディスクおよび磁気テープ、ハード・ドライブ、ならびに光学的に可読なデジタル・データ記憶媒体などの磁気記憶媒体である。
【００５３】
具体的な実施形態を本明細書に記載したが、本発明の範囲は、こうした具体的実施形態に限定されない。本発明の範囲は、添付の請求項およびそのあらゆる等価物によって定義される。
【図１】
0005519787.tif 000002
【図２】
0005519787.tif 000003
【図３】
0005519787.tif 000004
【図４】
0005519787.tif 000005
【図５】
0005519787.tif 000006
【図６】
0005519787.tif 000007
【図７】
0005519787.tif 000008
【図８】
0005519787.tif 000009
【図９】
0005519787.tif 000010
【図１０】
0005519787.tif 000011
【図１１】
0005519787.tif 000012
【図１２】
0005519787.tif 000013
【図１３】
0005519787.tif 000014
【図１４】
0005519787.tif 000015
【図１５】
0005519787.tif 000016
【図１６】
0005519787.tif 000017